(57)【要約】      （修正有）【課題】ドレン口への着脱を容易、且つ強い結合力をもって装着することができるドレンキャップ、及び固定金具を提供する。【解決手段】固定金具１は、排水管の端部に固定する際に、排水管の内部において排水管の径方向に延びる梁部１０と、梁部１０の両端の夫々から梁部１０に略直角に立ち上がり、排水管の内面に沿ってドレン口に向かって延びる立ち上り部１１と、立ち上がり部１１の夫々の両端から梁部１０に略平行に梁部１０の外側に延び、排水管の端部に固定する際に、ドレン口の外周部に係止する係止部１２と、押し付けネジ１３と、ドレンキャップ本体２を、梁部１０と係止部１２の少なくとも一方に取り付ける取付手段と、を備え、押し付けネジ１３を立ち上がり部１１に形成されたネジ穴１４にねじ込み、押し付けネジ１３の先端を排水管の内面に押し付けることにより、梁部１０、立ち上がり部１１、及び係止部１２が一体的に排水管の端部に固定される。【選択図】図１
2020111907.tif 000002
【特許請求の範囲】
【請求項１】
排水管の入口であるドレン口を排水可能に塞ぐドレンキャップ本体を、前記ドレン口に連なる前記排水管の端部に固定する固定金具であって、
前記排水管の端部に固定する際に、前記排水管の内部において前記排水管の径方向に延びる梁部と、
前記梁部の両端の夫々から前記梁部に略直角に立ち上がり、前記排水管の内面に沿って前記ドレン口に向かって延びる立ち上り部と、
前記立ち上がり部の夫々の両端から前記梁部に略平行に前記梁部の外側に延び、前記排水管の端部に固定する際に、前記ドレン口の外周部に係止する係止部と、
押し付けネジと、
前記ドレンキャップ本体を、前記梁部と前記係止部の少なくとも一方に取り付ける取付手段と、
を備え、
前記立ち上がり部の夫々には、前記押し付けネジのネジ部がねじ込まれるネジ穴が形成されており、前記押し付けネジを前記ネジ穴にねじ込み、前記押し付けネジの先端を前記排水管の内面に押し付けることにより、前記梁部、前記立ち上がり部、及び前記係止部が一体的に前記排水管の端部に固定される、
ことを特徴とする固定金具。
【請求項２】
請求項１に記載の固定金具と、
前記ドレン口を排水可能に塞ぐドレンキャップ本体と、
を備え、
前記ドレンキャップ本体には、前記ドレンキャップ本体の頂部から底部に向かって延びると共にその端部にネジが形成されている中央柱が前記取付手段の１つとして設けられ、
前記梁部の中央には、前記取付手段の１つとしてのネジ穴が形成され、前記中央柱のネジが前記ネジ穴にねじ込まれることにより、前記ドレンキャップ本体が前記固定金具に取り付けられる、
ことを特徴とするドレンキャップ。
【発明の詳細な説明】
【技術分野】
【０００１】
本発明は、建物の屋上に設けられるドレンキャップ及びその固定金具に関する。
【背景技術】
【０００２】
ビルやマンション等の建物の屋上やベランダ、或いは、駐車場等の屋外の所定の場所には、雨水等をドレン（排水管）に排水するためのドレン口が設けられている。ドレン口には、屋上に落ちた落ち葉や小枝、ビニル等のゴミが雨水と共にドレンに流れ込むのを防止するためのドレンキャップが装着されている。
【０００３】
屋上のリノベーション工事等で防水シートを張り替えるときには、ドレンキャップをドレン口から一旦取り外し、工事終了後にドレンキャップを再度取り付けることになる。また、ドレンキャップに付着したゴミの清掃を行う場合に、ドレン口からドレンキャップを取り外すこともある。このため、ドレンキャップは、ドレン口から比較的容易に着脱できるような構造であることが望まれている。
【０００４】
一方、ドレンキャップとドレン口との間の結合力が弱いと、台風等の強い風でドレンキャップが外れることがある。また、ドレン口から外れたドレンキャップが、風によって吹き飛ばされることもある。
【０００５】
そこで、ドレンキャップ本体の中心から外側に延びる複数枚の板バネを有する取付金具を設け、板バネを撓ませてドレン口に挿入するドレンキャップが知らされている（例えば、特許文献１）。また、特許文献１には、リング状の板バネによって取付金具を構成し、リング状の板バネを楕円形に変形させてドレン口に挿入するドレンキャップも開示されている。
【０００６】
特許文献１が開示するドレンキャップは、取付金具の板バネを変形させる、或いは、撓ませることによってドレン口に短時間で装着することができる。しかしながら、特許文献１が開示するドレンキャップの取付金具は、板バネの湾曲面の一部を、板バネの弾性力によって円筒状のドレンの内面に押し付けることによって、ドレンキャップをドレン口に固定させるものである。このため、板バネの接触面とドレン内面との間にはたらく圧力をそれ程高めることができず、ドレンキャップとドレン口との間の結合力は、必ずしも十分なものとならない。
【先行技術文献】
【特許文献】
【０００７】
【特許文献１】特許第５４２６２４５号
【発明の概要】
【発明が解決しようとする課題】
【０００８】
本発明は上記事情に鑑みてなされてものであり、本発明が解決しようとする課題は、ドレン口への着脱を容易に行うことができると共に、ドレン口に対して強い結合力をもって装着することができるドレンキャップ又はドレンキャップの固定金具を提供することである。
【課題を解決するための手段】
【０００９】
上記課題を解決するため、本発明に係るドレンキャップの固定金具は、排水管の入口であるドレン口を排水可能に塞ぐドレンキャップ本体を、前記ドレン口に連なる前記排水管の端部に固定する固定金具であって、前記排水管の端部に固定する際に、前記排水管の内部において前記排水管の径方向に延びる梁部と、前記梁部の両端の夫々から前記梁部に略直角に立ち上がり、前記排水管の内面に沿って前記ドレン口に向かって延びる立ち上り部と、前記立ち上がり部の夫々の両端から前記梁部に略平行に前記梁部の外側に延び、前記排水管の端部に固定する際に、前記ドレン口の外周部に係止する係止部と、押し付けネジと、前記ドレンキャップ本体を、前記梁部と前記係止部の少なくとも一方に取り付ける取付手段と、を備え、前記立ち上がり部の夫々には、前記押し付けネジのネジ部がねじ込まれるネジ穴が形成されており、前記押し付けネジを前記ネジ穴にねじ込み、前記押し付けネジの先端を前記排水管の内面に押し付けることにより、前記梁部、前記立ち上がり部、及び前記係止部が一体的に前記排水管の端部に固定される、ことを特徴とする。
【発明の効果】
【００１０】
本発明に係るドレンキャップ及びその固定金具によれば、ドレン口への着脱を容易におこなうことができる共に、ドレン口に対して強い結合力をもって装着することができる。
【図面の簡単な説明】
【００１１】
【図１】本発明の一実施形態に係るドレンキャップの構造例を示す斜視図。
【図２】ドレンキャップの固定金具をドレンの端部に装着し、さらに、ドレンキャップ本体を固定金具に取り付ける状況を示す断面図。
【図３】ドレンキャップ本体を固定金具に取り付ける取付手段の例を示す図。
【図４】横型のドレンのドレン口を覆うドレンキャップ本体とその固定金具の一例を示す図。
【図５】固定金具の変形例の構成例を示す図。
【発明を実施するための形態】
【００１２】
本発明に係るドレンキャップ、及び、ドレンキャップの固定金具の実施形態について、添付図面を参照して説明する。
【００１３】
図１は、本発明の一実施形態に係るドレンキャップ１００の構造例を示す斜視図である。ドレンキャップ１００は、ドレンキャップ本体２と、固定金具１とを有して構成される。図２は、ドレンキャップ１００の固定金具１をドレンの端部に装着し、さらに、ドレンキャップ本体２を固定金具１に取り付ける状況を示す断面図である。
【００１４】
前述したように、ビルやマンション等の建物の屋上やベランダ、或いは、駐車場等の屋外の所定の場所には、雨水等をドレン（排水管）に排水するためのドレン口が設けられている。ドレンキャップ１００は、屋上に落ちた落ち葉や小枝、ビニル等のゴミが雨水と共にドレンに流れ込むのを防止するために、ドレン口を覆うように配設されている。
【００１５】
図２に示すように、ドレンキャップ本体２は、円筒状のドレン３０の入口であるドレン口３１を覆うように配設される。また、固定金具１はドレン３０の端部に固定される。固定金具１をドレン３０の端部に固定した後、ドレンキャップ本体２を固定金具１に取り付けることにより、ドレンキャップ本体２がドレン３０の端部に固定される。
【００１６】
ビルやマンションの屋上は、例えば、防水用のフロア材３３で覆われており、ドレン３０は、フロア材３３を貫通して、屋上から建物の下方に向かって排水経路を形成している。ドレン３０は、例えば、銅管や鉛管であり、その周囲には、屋上を形成するためのモルタルやセメント等の流動性硬化材３２が埋め込まれている。
【００１７】
図１及び図２に示すように、ドレンキャップ本体２の外形は、例えば、概略円錐形をなすように形成され、ドレンキャップ本体２の円錐形の底部が、ドレン口３１に対向するように配設される。ドレン口３１の直径は、通常、例えば、３０ｍｍから１５０ｍｍの範囲である。これらのドレン口３１の開口径の大きさが異なるドレン３０に対応させる場合は、図１又は図２に示すドレンキャップ１００と略相似な形状を有するもので、円錐形の底部の直径が異なるものを用意すればよい。
【００１８】
ドレンキャップ本体２は、例えば、複数のステンレスの線材２１を用いて形成される。例えば、複数の直線状のステンレス線材２１と、複数のリング状のステンレス線材２１とを用いて、略円錐形の網状のドレンキャップ本体２を形成することができる。このようなドレンキャップ本体２によってドレン口３１を覆うことにより、雨水をドレンにスムーズに通水させると共に、落ち葉等のゴミがドレンに入り込むのを防止することができる。
【００１９】
本実施形態のドレンキャップ本体２は、ドレン口３０を通水可能に塞ぐ機能があれば十分であり、上述したステンレス線材２１を用いた構成材や、図１から図３に示す略円錐形状に限定されるものではない。例えば、多数の孔を有するアルミニウム材を用いて四角錐台の形状に形成したドレンキャップ本体２も、本実施形態のドレンキャップ本体２に含まれうる。この他、ドレンキャップ本体２は、円柱形や長方形等、種々の形状を取り得る。
【００２０】
ドレンキャップ本体２には、その頂部から底部に向かって延びる中央柱２２が設けられている。中央柱２２の一端（頂部側の端部）は、ドレンキャップ本体２の頂部と、例えばネジによって固定される。中央柱２２の他端（底部側の端部）には、固定金具１にドレンキャップ本体２を取り付けるための取付ネジ２３が形成されている。
【００２１】
固定金具１は、ドレンキャップ本体２をドレン（排水管）の端部（ドレンの入口部）に固定するための金具である。固定金具１は、梁部１０と、立ち上がり部１１と、係止部１２とを少なくとも有している。
【００２２】
梁部１０は、固定金具１をドレン３０の端部に固定する際に、ドレン３０の入口近傍の内部において、ドレン３０の径方向（ドレンの中心軸方向に直交する方向）に延びる部材である。梁部１０の長さは、ドレン３０の直径とほぼ同程度に設定され、固定金具１をドレン３０に挿入したときに、梁部１０の両端がドレン３０の内面から所定の余裕をもって離れる程度の長さに設定される（図２参照）。梁部１０部は、例えば、その断面をＣ字状に形成して剛性を向上させた部材である。  
【００２３】
梁部１０の中央には取付ネジ穴１５が形成されている。中央柱２２の取付ネジ２３を、梁部１０の取付ネジ穴１５にねじ込むことにより、ドレンキャップ本体２が固定金具１に取り付けられる。
【００２４】
立ち上がり部１１は、梁部１０の左右の両端の夫々から梁部１０に略直角に立ち上がる部材である。立ち上がり部１１は、固定金具１をドレンの端部に固定する際に、梁部１０からドレン口３１に向かって、ドレン３０の内面に沿って延びる部材である。
【００２５】
係止部１２は、立ち上がり部１１のドレン口側の夫々の両端から梁部１０に略平行に、梁部１０の外側に延びる部材である。係止部１２は、固定金具１をドレンの端部に固定する際に、ドレン口３１の外周部に係止する部材である。
【００２６】
固定金具１は、アルミ材やステンレス材を一体成型したものでもよいし、立ち上がり部１１と係止部１２とが一体化された部材と梁部１０とを、溶接やビス等の固定手段で固定したものでもよい。また、固定金具１を構成する部材の材料は、アルミ材やステンレス材に限定されるものではなく、例えば、鋳鉄や銅などの金属材でもよいし、樹脂やセラミクス等の非金属材でもよい。
【００２７】
左右の立ち上がり部１１の夫々には、押し付けネジ１３のネジ部がねじ込まれるネジ穴１４が形成されている。
【００２８】
図２を用いてドレンキャップ１００をドレン３０の端部に固定する方法を説明する。ドレンキャップ１００をドレン３０の端部に固定する際には、まず、固定金具１をドレン口３１に挿入し、固定金具１の係止部１２をドレン口３１の外周部に係止する。次に、左右の２つの押し付けネジ１３を左右のネジ穴１４に夫々ねじ込み、押し付けネジ１３の先端をドレン３０の内面に押し付ける。この押し付けにより、押し付けネジ１３の先端部とドレン３０の内面との間に圧力が発生し、固定金具１がドレン３０の端部に固定される。
【００２９】
特許文献１等で開示されるドレンキャップは、板バネの湾曲面をドレンの内面を押し付ける方式である。面と面との押し付けによって生じる圧力によって、ドレンキャップをドレンに固定する方式であるため、ドレンキャップを固定する力には限界がある。
【００３０】
一方、本実施形態は、押し付けネジ１３の先端をドレン３０の内面に押し付ける方式である。押し付けネジ１３の先端の面積は板バネの接触面に比べると点と見做せる程度に十分に小さいため、ドレン３０の内面を強い圧力で押し付けることができる。言い換えると、本実施形態は、点と面との押し付けによって生じる強い圧力によって、固定金具１をドレン３０の内面に固定することができる。
【００３１】
固定金具１をドレン３０の内面に固定した後、ドレンキャップ本体２に設けられた中央柱２２の取付ネジ２３を、梁部１０の取付ネジ穴１５にねじ込むことにより、ドレンキャップ本体２が固定金具１に取り付けられる。
【００３２】
上述したように、本実施形態の固定金具１は、ドレンキャップ本体２を強い力でドレン３０の端部に固定することができる。このため、台風等の強風に曝らされても、ドレンキャップ本体２はドレン３０から離脱したり、吹き飛ばされたりすることがない。
【００３３】
また、本実施形態では、固定金具１とドレン３０とを固定する力を、押し付けネジ１３のネジ込み具合によって所望の程度に調整することが可能である。固定力を強める場合には、押し付けネジ１３をさらにねじ込めばよいし、逆に固定力を弱める場合には、押し付けネジ１３を緩めればよい。
【００３４】
上述した実施形態では、図３（ａ）に示すように、中央柱２２、中央柱２２に形成された取付ネジ２３、及び、固定金具１の梁部１０に形成された取付ネジ穴１５によって、ドレンキャップ本体２を固定金具１に取り付ける取付手段を構成している。
【００３５】
ドレンキャップ本体２を固定金具１に取り付ける取付手段は、上述した実施形態に限定されない。例えば、図３（ｂ）に示すように、ドレンキャップ本体２を、中央柱２２を取り除いた構造とし、ドレンキャップ本体２の底部の一部と固定金具１の係止部１２とを、ビスや所定の取付金具等によって構成される取付手段４０によって固定してもよい。
【００３６】
ここまで、図１〜図３を用いて説明してきたドレンキャップ１００は、屋上のフロアから鉛直に下がる縦型のドレン３０のドレン口３１を覆うタイプであるが、上述した実施形態は、その本質を変えることなく、横型のドレン３０ａを覆うドレンキャップ１００として構成することができる。
【００３７】
図４は、横型のドレン３０ａのドレン口３１ａを覆うドレンキャップ本体２ａと、その固定金具１の一例を示す図である。横型のドレン３０ａは、例えば、屋上の隅から斜め下に若干傾斜しながら横方向に所定長だけ延び、その後、鉛直下方に延びている。図４は、横型ドレン３０ａの入口近傍を上方から見た断面を模式的に示した図である。
【００３８】
横型のドレン３０ａに適用されるドレンキャップ１００は、ドレンキャップ本体２の全体的な形状は図１〜図３に示した形状とは異なるものの、中央柱２２ａ及び固定金具１の基本的な構造や構成は、ここまで説明してきた実施形態と異ならない。
【００３９】
図５（ａ）及び図５（ｂ）は、変形例に係る固定金具１ａの構成例を示す図である。変形例に係る固定金具１ａは、ドレン３０の径の大きさに応じて、梁部１０の長さを調整することができる構造となっている。
【００４０】
固定金具１ａは、長さを調整することができる梁部１０ａ、立ち上がり部１１、及び、係止部１２を備えて構成されている。梁部１０ａは、例えば、複数の貫通孔を有するＣ型チャンネル材１０１と、Ｃ型チャンネル材に挿入される挿入部材１０２とで構成され、挿入部材１０２には少なくとも１つの貫通孔が形成されている。挿入部材１０２、立ち上がり部１１、及び、係止部１２部は、１つのアルミニウム板を折り曲げて形成することができる。
【００４１】
挿入部材１０２とＣ型チャンネル材１０１とは、例えば、それぞれの貫通孔を貫通するボルトとナットによって固定される。このとき、例えば、図５（ａ）と図５（ｂ）のように、ボルトを貫通させる貫通孔の位置を変えることによって、梁部１０ａの長さを調整することができる。図５（ａ）及び図５（ｂ）に示す固定金具１ａによれば、ドレン３０の異なる径ごとに複数種の固定金具１を用意することなく、１つの固定金具１ａだけで、複数種の径のドレン３０に対応することができる。
【００４２】
以上説明してきたように、本実施形態に係るドレンキャップ１００、及び、ドレンキャップ１００の固定金具１、１ａによれば、ドレン３０の端部への着脱を容易に行うことができると共に、ドレン３０に対して強い結合力をもって装着することができる。
【００４３】
なお、本発明は上記の実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせても良い。
【符号の説明】
【００４４】
１  固定金具
２  ドレンキャップ本体
１０、１０ａ  梁部
１１  立ち上がり部
１２  係止部
１３  押し付けネジ
１４  ネジ穴
１５  取付ネジ穴
３０  ドレン
３１  ドレン口
３２  流動性硬化材
３３  フロア材
１００  ドレンキャップ
【図１】
2020111907.tif 000003
【図２】
2020111907.tif 000004
【図３】
2020111907.tif 000005
【図４】
2020111907.tif 000006
【図５】
2020111907.tif 000007